(57)【要約】【課題】電源部の筐体内を効果的に冷却でき、かつ、筐体内への異物の侵入を好適に防止することができるコンクリートバイブレータの電源部を提供する。【解決手段】筐体２内に周波数変換器が収容され、入力された電源が周波数変換器によって適切な周波数及び電圧に変換されて出力されて、モーターに供給されるように構成され、筐体２の側部２ａに通風孔３が形成され、放熱弁４を含む開閉機構によって通風孔３が自動的に開閉するように構成し、バイブレータの稼働時に筐体内の温度が過度に上昇した場合に、自動的に通風孔３を開放し、換気を行って筐体２内を冷却し、その他の場合には、通風孔３を閉鎖して、筐体内を密閉状態に維持し、筐体内への異物の侵入を防止できるように構成した。【選択図】図１
2020184845.tif 000002
【特許請求の範囲】
【請求項１】
筐体内に周波数変換器が収容され、入力された電源が周波数変換器によって適切な周波数及び電圧に変換されて出力されて、モーターに供給されるように構成されたコンクリートバイブレータの電源部であって、
筐体のいずれかの部位に通風孔が形成され、
予め設定された条件に応じて、放熱弁を含む開閉機構によって前記通風孔が自動的に開閉するように構成されていることを特徴とするコンクリートバイブレータの電源部。
【請求項２】
筐体内に温度センサーが配置され、コンクリートバイブレータの稼働中において筐体内の温度が監視され、筐体内の温度が予め設定された温度を超えた場合に、前記開閉機構が作動して、前記通風孔が開放されるように構成され、
コンクリートバイブレータの稼働中において筐体内の温度が予め設定された温度を下回る状態にあるとき、及び、コンクリートバイブレータが稼働していないときは、前記通風孔が閉鎖され、筐体内が密封状態となるように構成されていることを特徴とする、請求項１に記載のコンクリートバイブレータの電源部。
【請求項３】
冷却ファンが、筐体内において、前記通風孔に向かって吹出口が開口する姿勢で固定され、筐体内の温度が予め設定された温度を超えた場合に、冷却ファンが駆動するように構成されていることを特徴とする、請求項２に記載のコンクリートバイブレータの電源部。
【請求項４】
前記通風孔の外側開口部が、下向き又は斜め下向きに開口していることを特徴とする、請求項１〜３のいずれかに記載のコンクリートバイブレータの電源部。
【請求項５】
前記通風孔の内側開口部の外周部に、シールリングが配置され、
放熱弁が、前記通風孔の内側開口部を閉鎖する位置にあるとき、前記シールリングの本体から軸線方向へ弾性的に突出する環状のリップ部の先端が、放熱弁に対して全周的に密着するように構成されていることを特徴とする、請求項１〜４のいずれかに記載のコンクリートバイブレータの電源部。
【請求項６】
前記通風孔のほかに、筐体のいずれかの部位に第二通風孔が形成され、
予め設定された条件に応じて、放熱弁を含む第二開閉機構によって前記第二通風孔が自動的に開閉するように構成されていることを特徴とする、請求項１〜５のいずれかに記載のコンクリートバイブレータの電源部。
【発明の詳細な説明】
【技術分野】
【０００１】
本発明は、打設したコンクリートの中から気泡を除去して、コンクリートを型枠内に適切に充填させるために用いられるコンクリートバイブレータに関し、より詳細には、コンクリートバイブレータの電源部の筐体の構造に関する。
【背景技術】
【０００２】
建設現場等においてコンクリートの打設作業が行われる場合、コンクリートバイブレータを用いてコンクリートの中から気泡を除去する作業が実施される。コンクリートバイブレータは、モーターと偏心錘を内蔵した振動筒を先端部に有しており、この振動筒を未硬化のコンクリートの中に挿入することによって、その周囲のコンクリートに振動を与え、コンクリートの中に存在する気泡を上昇させて除去できるように構成されている。
【０００３】
一般的なコンクリートバイブレータは、モーターを内蔵した振動筒を有しているほか、給電ケーブルを介してモーターに駆動電力を供給する電源部や、駆動電力の供給と停止を切り替えるスイッチ等を備えている。これらのうち電源部には、周波数変換器等が収容されており、電源コードを介して電源部に入力される商用電源が、周波数変換器によって適切な周波数及び電圧に変換されて、振動筒のモーターに供給されるように構成されている。
【先行技術文献】
【特許文献】
【０００４】
【特許文献１】特開２００５−３４８５０２号公報
【特許文献２】特許第６４２６８８０号公報
【発明の概要】
【発明が解決しようとする課題】
【０００５】
電源部の周波数変換器において周波数及び電圧の変換が行われる際、整流、蓄電、及び、半導体素子による高速スイッチング等の工程が実施されることになるが、それらの変換工程においては、電子部品から大量の熱が発生するため、バイブレータ使用時における作業者の安全性を確保するとともに、製品の耐久性の向上（長寿命化）を図るためには、発熱する電子部品とその周辺部、ひいては電源部の筐体内の空間全体を、効率的に冷却することが必要となる。
【０００６】
電源部の筐体内を冷却する方法としては、筐体自体を熱伝導率の高い素材によって構成し、或いは、ヒートシンク構造を採用する（例えば、筐体の表面に多数の放熱フィンを形成する）ことによって、筐体外側への放熱効率を向上させることなどが考えられるが、負荷の状態によっては限界がある。
【０００７】
また、筐体内に冷却ファンを配置するとともに、通風孔を形成し、筐体の内外で空気を流通させる方法も考えられるが、この場合、通風孔から水分等の異物が侵入する可能性があり、内部の電子部品に悪影響を与えかねないという問題がある。
【０００８】
本発明は、このような従来技術における問題を解決しようとするものであって、電源部の筐体内を効果的に冷却でき、かつ、筐体内への異物の侵入を好適に防止することができるコンクリートバイブレータの電源部を提供することを目的とする。
【課題を解決するための手段】
【０００９】
本発明に係るコンクリートバイブレータの電源部は、筐体内に周波数変換器が収容され、入力された電源が周波数変換器によって適切な周波数及び電圧に変換されて出力されて、モーターに供給されるように構成され、筐体のいずれかの部位に通風孔が形成され、予め設定された条件に応じて、放熱弁を含む開閉機構によって前記通風孔が自動的に開閉するように構成されていることを特徴としている。
【００１０】
尚、このコンクリートバイブレータの電源部においては、筐体内に温度センサーが配置され、コンクリートバイブレータの稼働中において筐体内の温度が監視され、筐体内の温度が予め設定された温度を超えた場合に、前記開閉機構が作動して、前記通風孔が開放されるように構成され、コンクリートバイブレータの稼働中において筐体内の温度が予め設定された温度を下回る状態にあるとき、及び、コンクリートバイブレータが稼働していないときは、前記通風孔が閉鎖され、筐体内が密封状態となるように構成されていることが好ましい。
【００１１】
また、冷却ファンが、筐体内において、前記通風孔に向かって吹出口が開口する姿勢で固定され、筐体内の温度が予め設定された温度を超えた場合に、冷却ファンが駆動するように構成されていることが好ましく、更に、前記通風孔の外側開口部が、下向き又は斜め下向きに開口していることが好ましい。
【００１２】
また、前記通風孔の内側開口部の外周部に、シールリングが配置され、放熱弁が、前記通風孔の内側開口部を閉鎖する位置にあるとき、前記シールリングの本体から軸線方向へ弾性的に突出する環状のリップ部の先端が、放熱弁に対して全周的に密着するように構成されていることが好ましく、更に、前記通風孔のほかに、筐体のいずれかの部位に第二通風孔が形成され、予め設定された条件に応じて、放熱弁を含む第二開閉機構によって前記第二通風孔が自動的に開閉するように構成されていることが好ましい。
【発明の効果】
【００１３】
本発明に係るコンクリートバイブレータの電源部は、バイブレータの稼働時において、電子部品から発せられる熱によって筐体内の温度が過度に上昇したような場合において、自動的に通風孔を開放して換気を行い、筐体内を冷却することができるとともに、バイブレータの非稼働時においては、通風孔を閉鎖して、筐体内を密閉状態に維持し、水分等の異物の侵入を好適に防止することができる。
【図面の簡単な説明】
【００１４】
【図１】図１は、本発明に係るコンクリートバイブレータの電源部の内部構造を示す部分断面図である。
【図２】図２は、図１に示す通風孔３の開閉機構の説明図である。
【図３】図３は、図１に示すシールリング９の切欠斜視図である。
【発明を実施するための形態】
【００１５】
以下、本発明「コンクリートバイブレータの電源部」（以下、単に「電源部」と称する。）の実施形態について説明する。本発明に係る電源部は、筐体内に周波数変換器が収容されており、電源コードを介して電源部に入力された商用電源が、周波数変換器によって適切な周波数及び電圧に変換されて出力され、振動筒のモーターに供給されるように構成されている。
【００１６】
図１は、本発明に係る電源部の内部構造を示す部分断面図である。図示されているように、この電源部においては、筐体２の一つの側部２ａに、換気用（排気用）の通風孔３が形成されている。この通風孔３の内側開口部３ａは、予め設定された条件に応じて、筐体２内に配置された開閉機構（放熱弁４等）によって自動的に開閉するように構成されており、放熱弁４によって内側開口部３ａを閉じることにより、筐体２内への異物（水分、塵埃等）の侵入を防止し、また、内側開口部３ａを開放することにより、筐体２内の空気を通風孔３から外側へ排出して、筐体２内を冷却できるようになっている。尚、通風孔３の外側開口部３ｂは、通風孔３内への異物の侵入を可及的に防止できるように、下向き（斜め下向き）に開口している。
【００１７】
図２は、図１に示す放熱弁４を含む通風孔３の開閉機構の説明図である。この開閉機構は、放熱弁４、ソレノイド５（駆動手段）、リンク６、及び、バネ７（付勢手段）によって構成されている。これらのうち放熱弁４は、通風孔３の近傍位置において、筐体２の側部２ａ（図１参照）に対してピン４ａにより枢着されており、ピン４ａの中心軸線周りに、所定の角度範囲内（図２（２）に示す角度Ａの範囲内）で回動可能なように構成されている。
【００１８】
ソレノイド５は、いわゆるプル型のソレノイドアクチュエータであり、内蔵するコイルへの通電により、プランジャ５ａ（可動鉄芯）が伸長状態から収縮状態に変位するように構成されている。より詳細には、プランジャ５ａが、ソレノイド５の本体から外側へ大きく突出した状態（伸長状態）において、コイルへの通電が行われると、プランジャ５ａが電磁力によって本体の内側方向（固定鉄芯側）へ引っ張られて、本体からのプランジャ５ａの突出量が小さくなるように構成されている。
【００１９】
リンク６は、両端部が、放熱弁４とプランジャ５ａの先端部にそれぞれ枢着されており、放熱弁４とプランジャ５ａとを連結する手段として機能する。バネ７は、引張バネであり、一端が、放熱弁４とリンク６との枢着点（ピン４ｂ）に係止され、他端が、放熱弁４（ピン４ａ）を基準としてソレノイド５とは反対側の位置（固定ピン７ａ）に固定されており、放熱弁４を、ソレノイド５とは反対側の方向へ常時付勢している。
【００２０】
また、筐体２内には、図１に示すように冷却ファン８が配置されている。この冷却ファン８は、開閉機構の近傍位置（但し、開閉機構の開閉動作に干渉しない位置）において、吹出口８ａが、通風孔３の内側開口部３ａに向かって開口する姿勢で固定されている。更に、筐体２内には、温度センサー（図示せず）が配置されており、コンクリートバイブレータの稼働中において、筐体２内の温度が常時監視されるようになっている。また、筐体２の側部のうち、図１に示す側部２ａとは反対側の側部にも、図１に示す通風孔３と同様の第二通風孔（吸気用）（図示せず）が形成されており、その近傍には、図１に示す開閉機構（放熱弁４等）と同様の第二開閉機構（図示せず）が配置されている。
【００２１】
ここで、上記のような構成に係る電源部の開閉機構の動作態様について簡単に説明すると、まず、ソレノイド５が非駆動状態である場合（無通電時）、放熱弁４は、バネ７によって固定ピン７ａ側（ソレノイド５とは反対側）に引っ張られ、図２（１）に示す位置に定位し、内側開口部３ａが閉鎖され、筐体２内が密閉された状態に維持される。
【００２２】
尚、内側開口部３ａの外周部には、合成ゴム製（例えば、ニトリルゴム製）のシールリング９が配置されている。このシールリング９は、図３に示すように、環状のリップ部９ａが、本体から軸線方向へ弾性的に突出する構造となっている。そして、図２（１）に示すように、放熱弁４が内側開口部３ａを閉鎖する位置にあるとき、シールリング９のリップ部９ａの先端が、放熱弁４に対して全周的に密着するように構成されており、内側開口部３ａと放熱弁４との隙間から筐体２内へ異物（水分等）が侵入することを好適に阻止することができる。
【００２３】
コンクリートバイブレータを稼働させると、電源部内の周波数変換器において周波数及び電圧の変換が行われ、その際に電子部品が発熱して筐体２内の温度が上昇することになる。尚、コンクリートバイブレータの稼働中においては、温度センサーによって筐体２内の温度が常時監視されている。そして、筐体２内の温度が予め設定された温度（例えば７０℃）を超えた場合、温度センサーの検出値に基づいて、ソレノイド５（図２参照）、第二開閉機構のソレノイド（図示せず）、及び、冷却ファン８（図１参照）を駆動させるための信号が発せられる。
【００２４】
ソレノイド５においては、前記信号に従ってコイルへの通電が開始され、プランジャ５ａが収縮状態に変位して、リンク６がソレノイド５側へ引っ張られる。そして、バネ７による付勢力に抗して放熱弁４が図２（２）において実線で示す位置まで回動し、通風孔３（内側開口部３ａ）が開放される。また、第二開閉機構のソレノイドも同様に動作して、第二通風孔が開放される。更に、冷却ファン８も、前記信号に従って通電が開始されて駆動状態となり、筐体２内の空気が吸引されて吹出口８ａから吹き出され、通風孔３を通って筐体２の外側に排出される。そして、同量の外気が第二通風孔から筐体２内へ流入して換気が行われ、筐体２内が冷却される。
【００２５】
通風孔３等の開放、及び、冷却ファン８の駆動によって筐体２内が冷却され、筐体２内の温度が予め設定された温度を下回る状態に復帰した場合、温度センサーの検出値に基づいて、ソレノイド５、第二開閉機構のソレノイド、及び、冷却ファン８における通電が停止される。ソレノイド５（及び、第二開閉機構のソレノイド）において通電が停止されると、放熱弁４が、バネ７によって固定ピン７ａ側に引っ張られ、図２（１）に示す位置に復帰し、通風孔３（及び、第二通風孔）が閉鎖され、筐体２内が密封状態となる。
【００２６】
コンクリートバイブレータの停止中（非稼働時）においては、ソレノイド５（及び、第二開閉機構のソレノイド）において通電が行われることはなく、非駆動状態が継続され、放熱弁４は、図２（１）に示す位置に定位し、通風孔３（及び、第二通風孔）は閉鎖され、筐体２内は密閉状態に維持される。
【００２７】
尚、上記実施形態においては、通風孔３は、筐体２の側部２ａに形成されているが、それ以外の部位（例えば、上面部、又は、下面部等）に形成してもよい。また、上記実施形態においては、通風孔３の開閉機構の駆動手段（放熱弁４を変位させるための駆動力を供給する手段）としてソレノイド５（プル型のソレノイドアクチュエータ）が採用されているが、他の駆動手段を採用することもできる。更に、開閉機構の付勢手段として、バネ７以外の付勢手段を採用することもできる。
【符号の説明】
【００２８】
２：筐体、
２ａ：側部、
３：通風孔、
３ａ：内側開口部、
３ｂ：外側開口部、
４：放熱弁、
４ａ，４ｂ：ピン、
５：ソレノイド、
５ａ：プランジャ、
６：リンク、
７：バネ、
７ａ：固定ピン、
８：冷却ファン、
８ａ：吹出口、
９：シールリング、
９ａ：リップ部
【図１】
2020184845.tif 000003
【図２】
2020184845.tif 000004
【図３】
2020184845.tif 000005